(57)【特許請求の範囲】
【請求項１】
主に遊技盤(5) 側の制御を司り且つ遊技者に有利な状態か否かを判定する判定機能を有する主制御手段(50)と、払出し装置(35)を介して遊技者に遊技球を払出す払出し制御手段(70)と、主制御手段(50)において判定した結果に関連した図柄を表示制御する図柄制御手段(60)と、遊技者が視認可能な種々のランプ(LP)を制御するランプ制御手段(71)と、サウンド発生器(SP)を制御するサウンド制御手段(72)とを備え、前記主制御手段(50)と払出し制御手段(70)と図柄制御手段(60)とランプ制御手段(71)とサウンド制御手段(72)とに夫々電力を供給する電源手段(79)を備えた弾球遊技機において、
前記電源手段(79)は、外部から供給された給電の異常を検出可能な電源監視部(82)と、その電源監視部(82)にて外部電源の異常を検出したときに電源異常信号(VS)を発生する異常信号発生部(83)と、その電源異常信号(VS)を出力する異常信号出力部(84)とを備え、
前記主制御手段(50)と払出し制御手段(70)には、電源手段(79)からの電源異常信号(VS)を受信する異常信号受信部と、電源異常信号(VS)の受信を契機として遊技状態に関連する所定の情報を記憶するとともに、その情報を電力供給停止後も記憶保持する為のバックアップ記憶部(39e,46e) とを設け、
前記電源手段(79)の異常信号出力部(84)と、前記主制御手段(50)の異常信号受信部と払出し制御手段(70)の異常信号受信部の少なくとも一方に、信号が逆流するのを防止する逆流防止回路(84a,39f,46f) を夫々設け、
前記電源手段(79)は、電源監視部(82)により電源異常を検出したときにリセット信号(SR)を発生するリセット信号発生部(85)と、そのリセット信号(SR)を出力するリセット信号出力部(86)とを備え、そのリセット信号出力部(86)に逆流防止回路(86a) を設け、
前記主制御手段(50)と払出し制御手段(70)と図柄制御手段(60)とランプ制御手段(71)とサウンド制御手段(72)の各々に、リセット信号(SR)を受信するリセット信号受信部と、リセット信号(SR)の受信を契機として作動を停止する作動停止手段を設け、各リセット信号受信部に逆流防止回路(39g,46g,40g,42g,43g) を設け、
前記電源手段(79)は、給電再開時に前記バックアップ記憶部(39e,46e) の記憶情報を消去可能な消去信号(ES)を発生する消去信号発生部(88A) と、その消去信号(ES)を主制御手段(50)のバックアップ記憶部(39e) と払出し制御手段(70)のバックアップ記憶部(46e) に一斉に出力する消去信号出力部(88B) とを備え、
前記主制御手段(50)及び払出し制御手段(70)は、消去信号(ES)を受信する消去信号受信部と、給電再開時に消去信号(ES)を受信したときには主制御手段(50)のバックアップ記憶部(39e) と払出し制御手段(70)のバックアップ記憶部(46e) の記憶情報を一斉に消去して予め設定された初期遊技状態に初期化する初期化手段(S2 〜S4) と、給電再開時に消去信号(ES)を受信しなかったときには前記バックアップ記憶部(39e,46e) の記憶情報に基づいて遊技状態を復帰させる復帰手段(S7)とを備えた、
ことを特徴とする弾球遊技機。
【請求項２】
前記逆流防止回路(84a,86a,39f,39g,46f,46g,40g,42g,43g) は、インバータ素子からなることを特徴とする請求項１に記載の弾球遊技機。
【発明の詳細な説明】
【０００１】
【発明の属する技術分野】
本発明は弾球遊技機に関し、特に電源手段に設けた種々の指令信号出力部から主制御手段や払出し制御手段等の各制御手段への信号出力を、逆流防止回路を用いて一方向に規制して、信号の逆流を防止するようにしたものに関する。
【０００２】
【従来の技術】
従来、パチンコ機等の弾球遊技機においては、発射ハンドル操作による遊技球の発射制御、遊技盤に設けた図柄始動手段や開閉式入賞手段（大入賞手段）等の遊技役物の制御、入賞手段への入賞を検知する検知制御、図柄表示用ディスプレイに設けられた図柄表示手段の複数の図柄表示部における図柄を変動させる図柄表示制御、入賞手段への入賞に伴う遊技球の払出し制御、図柄始動手段に入賞したときに抽選する為の抽選用数値の更新制御、入賞時や大当たり状態におけるサウンド制御やランプ制御等、弾球遊技の為の種々の制御を司る制御装置が設けられている。
【０００３】
この制御装置において、遊技盤側の遊技制御を主として司る主制御部は、各図柄表示部に図柄変動表示させる図柄表示制御の為の一連の制御信号（制御データ）を図柄制御部に直接出力し図柄表示を制御している。また、主制御部は、普通入賞手段や開閉式入賞手段への遊技球の入賞に際して、払出しモータ駆動の為の払出し制御信号を払出し制御部に出力して賞球の払出しを制御している。更に、主制御部は、図柄表示部における図柄変動後の停止図柄が大当たり図柄のとき、開閉式入賞手段の開閉板駆動ソレノイドの為の開閉制御信号を特別遊技制御部に出力し、開閉板を開閉制御している。
【０００４】
このように、主制御部は図柄制御部だけではなく、払出し制御部やランプ制御部等のその他の副制御部に対して、各動作毎の詳細な制御信号を逐一送信して、図柄変動等の遊技制御に連動する払出し制御、ランプ点灯制御、サウンド出力制御等の種々の制御を行なうため、制御負荷が非常に大きく、これら遊技動作の制御に制御遅れが生じ易い。
【０００５】
そこで、図柄制御部やランプ制御部等の各副制御部を、主制御部とは独立のマイクロコンピュータを備えた別個の制御基板上に構成し、主制御部から各副制御部へ制御コマンドを一方向送信するコマンド送信方式が採用されつつある。これにより、例えば、主制御部は図柄変動に際して図柄制御部に、図柄変動開始コマンド（変動パターン指定番号等を含む）と、各図柄表示部の停止図柄を指定する図柄指定コマンドとを順次送信するだけでよく、図柄変動制御を簡単化でき、主制御部の負荷を格段に軽減することができ、ランプ制御や払出し制御、更にはサウンド制御を図柄変動に同期させて実行できる。
【０００６】
この場合、主制御部の制御コマンド出力部と、払出し制御部や図柄制御部やランプ制御部等の複数の副制御部の信号受信部とに、インバータ素子等からなる逆流防止回路が夫々設けられ、主制御部から副制御部への一方向通信を実現して、主制御部への信号の逆流を防止している。それ故、主制御部における当たり外れに関する抽選に際して不正を確実に防止できるようにしてある。ところで、例えば、落雷等により停電になった場合、仮に大当たりゲームを実行中であっても、制御装置が作動しなくなり、大当たり状態であることを指示する情報及び入賞球数情報や払出すべき払出し球数情報等の遊技情報の全てが消去されてしまう。
【０００７】
この場合、停電からの復帰時にゲームを再開する場合、大当たりゲームを停電直前の状態に続けて実行することができず、遊技者とホール側とでトラブルが発生することもある。そこで、外部から供給された給電の異常を検出して電源異常信号を出力する電源監視部、給電の異常が検出されたときに種々の制御部の制御動作を停止させるリセット信号を出力するリセット部等を電源基板に設け、停電発生時には、電源監視部から出力される電源異常信号を主制御部や払出し制御部等の副制御部に出力する。
【０００８】
そして、この電源異常信号を受信した主制御部や払出し制御部においては、停電直前の遊技状態、つまり大当たり状態や払出し状態などの遊技再開に必要な最低限の遊技情報をバックアップ制御により所定のメモリに記憶し、バックアップ電源により停電後も記憶保持するとともに、リセット部から出力されるリセット信号により各制御部の制御動作を停止させることができる。その後、停電から復帰したときに、記憶保持していた遊技情報に基づいて、停電により中断した遊技制御の途中から支障なく再開することができる。
【０００９】
【発明が解決しようとする課題】
このように、停電発生時には、停電直前の遊技状態に関する所定の遊技情報を記憶するとともに、バックアップ電源により停電後も記憶保持しておくことで、停電からの復帰時に遊技制御を支障なく再開できるが、電源基板に設けた電源監視部やリセット部から出力される種々の指令信号の出力方向が一方向となるように何ら規制されてはいない。そこで、様々な不正行為に対処するには、弾球遊技機に設けられた何れの基板同士の信号出力についても一方向通信を実現すべきである。
【００１０】
本発明の目的は、複数の基板間での一方向通信において信号の逆流を確実に防止できるようにすること、様々な不正行為に対処できるようにすること、簡単な素子を用いて信号の逆流防止回路を構成できるようにすること、等である。
【００１１】
【課題を解決するための手段】
請求項１の弾球遊技機は、主に遊技盤側の制御を司り且つ遊技者に有利な状態か否かを判定する判定機能を有する主制御手段と、払出し装置を介して遊技者に遊技球を払出す払出し制御手段と、主制御手段において判定した結果に関連した図柄を表示制御する図柄制御手段と、遊技者が視認可能な種々のランプを制御するランプ制御手段と、サウンド発生器を制御するサウンド制御手段とを備え、前記主制御手段と払出し制御手段と図柄制御手段とランプ制御手段とサウンド制御手段とに夫々電力を供給する電源手段を備えた弾球遊技機において、電源手段は、外部から供給された給電の異常を検出可能な電源監視部と、その電源監視部にて外部電源の異常を検出したときに電源異常信号を発生する異常信号発生部と、その電源異常信号を出力する異常信号出力部とを備え、主制御手段と払出し制御手段には、電源手段からの電源異常信号を受信する異常信号受信部と、電源異常信号の受信を契機として遊技状態に関連する所定の情報を記憶するとともに、その情報を電力供給停止後も記憶保持する為のバックアップ記憶部とを設け、電源手段の異常信号出力部と、主制御手段の異常信号受信部と払出し制御手段の異常信号受信部の少なくとも一方に、信号が逆流するのを防止する逆流防止回路を夫々設け、電源手段は、電源監視部により電源異常を検出したときにリセット信号を発生するリセット信号発生部と、そのリセット信号を出力するリセット信号出力部とを備え、そのリセット信号出力部に逆流防止回路を設け、主制御手段と払出し制御手段と図柄制御手段とランプ制御手段とサウンド制御手段の各々に、リセット信号を受信するリセット信号受信部と、リセット信号の受信を契機として作動を停止する作動停止手段を設け、各リセット信号受信部に逆流防止回路を設け、電源手段は、給電再開時に前記バックアップ記憶部の記憶情報を消去可能な消去信号を発生する消去信号発生部と、その消去信号を主制御手段のバックアップ記憶部と払出し制御手段のバックアップ記憶部に一斉に出力する消去信号出力部とを備え、主制御手段及び払出し制御手段は、消去信号を受信する消去信号受信部と、給電再開時に消去信号を受信したときには主制御手段のバックアップ記憶部と払出し制御手段のバックアップ記憶部の記憶情報を一斉に消去して予め設定された初期遊技状態に初期化する初期化手段と、給電再開時に消去信号を受信しなかったときには前記バックアップ記憶部の記憶情報に基づいて遊技状態を復帰させる復帰手段とを備えたものである。
【００１２】
電源手段が主制御手段と払出し制御手段と図柄制御手段とランプ制御手段とサウンド制御手段とに電力を供給中に、電源監視部により外部から供給された給電の異常が検出されたときには、異常信号発生部で発生した電源異常信号が異常信号出力部から逆流防止回路を経て出力され、主制御手段の異常信号受信部と払出し制御手段の異常信号受信部の少なくとも一方の逆流防止回路を経て受信される。このように、給電の異常が検出されたときに異常信号出力部から出力される電源異常信号は、異常信号出力部に設けた逆流防止回路と、主制御手段の異常信号受信部と払出し制御手段の異常信号受信部の少なくとも一方に設けた逆流防止回路を経て受信されるため、電源手段から主制御手段と払出し制御手段の少なくとも一方の異常信号受信部への信号出力を一方向に規制して、信号の逆流を確実に防止することができ、様々な不正行為に対処することができる。
また、前記電源手段が、電源監視部により電源異常を検出したときにリセット信号を発生するリセット信号発生部と、そのリセット信号を出力するリセット信号出力部とを備え、そのリセット信号出力部に逆流防止回路を設け、主制御手段と払出し制御手段と図柄制御手段とランプ制御手段とサウンド制御手段の各々に、リセット信号を受信するリセット信号受信部と、リセット信号の受信を契機として作動を停止する作動停止手段を設け、各リセット信号受信部に逆流防止回路を設けた場合には、電源監視部により外部から供給された給電の異常が検出されたとき、リセット信号がリセット信号出力部から逆流防止回路を経て主制御手段と払出し制御手段と図柄制御手段とランプ制御手段とサウンド制御手段のリセット信号受信部に夫々出力され、これらリセット信号受信部においては逆流防止回路を経て夫々受信される。その結果、主制御手段と払出し制御手段と図柄制御手段とランプ制御手段とサウンド制御手段とにおいては、作動停止手段により夫々の制御動作が停止する。
【００１３】
また、前記主制御手段と払出し制御手段には、電源異常信号の受信を契機として遊技状態に関連する所定の情報を記憶するとともに、その情報を電力供給停止後も記憶保持する為のバックアップ記憶部が設けられている。例えば停電が発生する等して、電源異常信号を受信した主制御手段と払出し制御手段においては、遊技状態に関連する所定の情報がバックアップ記憶部に記憶されるとともに、このバックアップ記憶部の状態は電力供給停止後も記憶保持される。
【００１５】
さらに、前記電源手段が、給電再開時にバックアップ記憶部の記憶情報を消去可能な消去信号を発生する消去信号発生部と、その消去信号を一斉に出力する消去信号出力部とを備え、主制御手段及び払出し制御手段が、消去信号を受信する消去信号受信部と、給電再開時に消去信号を受信したときにはバックアップ記憶部の記憶情報を一斉に消去して予め設定された初期遊技状態に初期化する初期化手段と、給電再開時に消去信号を受信しなかったときにはバックアップ記憶部の記憶情報に基づいて遊技状態を復帰させる復帰手段とを備えている。主制御手段及び払出し制御手段において、給電再開時に電源手段に設けた消去信号出力部から消去信号を夫々受信したときには、初期化手段によりバックアップ記憶部の記憶情報が消去され、予め設定された初期遊技状態に初期化される。
【００１６】
しかし、給電再開時に消去信号出力部から消去信号を夫々受信しなかったときには、復帰手段によりバックアップ記憶部の記憶情報に基づいて遊技状態が復帰制御される。
また、前記逆流防止回路が、インバータ素子からなる場合（請求項２）には、逆流防止回路としてインバータ素子を用いることで、逆流防止回路を安価に且つ小型化することができる。
【００１７】
【発明の実施の形態】
以下、本発明の実施の形態について図面に基づいて説明する。
本実施形態は、パチンコホールの島構造体に設置される所謂カード式弾球遊技機と呼ばれる第１種パチンコ機に本発明を適用した場合の一例であり、パチンコホールに設けられた島構造体には、その長さ方向に複数のカード式球貸し機１と複数のパチンコ機２とが交互に配設され、カード式球貸し機１はパチンコ機２に電気的に接続されている。
【００１８】
図１〜図４に示すように、カード式弾球遊技機であるパチンコ機２は、矩形枠状の外枠３と、この外枠３に開閉自在に枢着された前枠４とを有し、カード式球貸し機１をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と前面板７とが夫々開閉自在に枢着されている。前面板７には発射用の遊技球を貯留する上皿８が装着され、前枠４の下部には、上皿８から溢流し又は抜き取った遊技球を貯留する下皿９と、発射手段１０の発射ハンドル１１とが設けられている。
【００１９】
この発射手段１０は、回動操作可能な発射ハンドル１１と、この発射ハンドル１１の回動角度に応じた打撃力で打撃槌１２により遊技球を発射させる発射モータ１３（図５参照）などを備えている。上皿８の右部には、カード式球貸し機１に対する球貸し操作用の操作パネル１４が設けられ、この操作パネル１４には、カード残額を３桁の数字で表示するカード残額表示部１４ａと、所定金額分の遊技球の球貸しを指示する球貸しスイッチ１４ｂと、遊技終了時にカードの返却を指令する返却スイッチ１４ｃとが設けられている。
【００２０】
図２に示すように、遊技盤５には、金属製の外レールと内レールとからなるガイドレール１５がほぼ環状に設けられ、このガイドレール１５の内側の遊技領域５ａには、カラーの液晶ディスプレイ１６、図柄始動手段（図柄始動兼入賞手段）１７、開閉式入賞手段（大入賞手段）１８、複数の普通入賞手段１９（この場合、上段の普通入賞手段１９以外に、開閉式入賞手段１８の左右両側部に、例えば６つの普通入賞手段１９）、２つのゲート２０（通過口）等が夫々所定の位置に配設されている。
【００２１】
液晶ディスプレイ１６は、変動図柄を表示するとともに背景画像や各種のキャラクタの動画などを表示する図柄表示手段２２として機能する。図柄表示手段２２は、背景画やキャラクタをアニメーション的に表示するとともに、例えば左右方向に並ぶ３個（左、中、右）の図柄表示部２２ａ〜２２ｃを有し、図柄始動手段１７に遊技球が入賞することを条件に、各図柄表示部２２ａ〜２２ｃの表示図柄が所定時間だけ変動表示（スクロール表示）され、図柄始動手段１７への遊技球の入賞タイミングに応じた抽選結果に基づいて決定される停止図柄パターンで停止する。
【００２２】
液晶ディスプレイ１６の直ぐ上側に、普通入賞手段１９と第２図柄表示手段２３とが設けられている。第２図柄表示手段２３は１個の普通図柄を表示する普通図柄表示部を有し、ゲート２０を通過した遊技球が検出されたとき、普通図柄表示部の表示図柄が所定時間だけ変動し、遊技球のゲート２０通過時点において抽選された抽選用数値により決定される停止図柄を表示して停止するようになっている。図柄始動手段１７は、開閉自在な左右１対の開閉爪１７ａを備えた電動式チューリップであり、第２図柄表示手段２３の変動後の停止図柄が当たり図柄を表示した場合に、開閉爪１７ａが所定時間だけ開放されて入賞し易くなる。
【００２３】
開閉式入賞手段１８は前方に開放可能な開閉板１８ａを備え、図柄表示手段２２の変動後の停止図柄が「７７７」等の当たり図柄のとき、所謂「大当たり」と称する特別遊技が開始され、開閉板１８ａが前方に開放される。この開閉式入賞手段１８の内部に特定領域１８ｂがあり、この特定領域１８ｂを入賞球が通過したとき、特別遊技が継続される。ここで、特別遊技状態が遊技者に有利な状態に相当し、特別遊技状態以外の普通状態が遊技者に不利な状態に相当する。
【００２４】
開閉式入賞手段１８の開閉板１８ａが開放された後、所定時間が経過し、又は所定数（例えば、１０個）の遊技球が入賞して開閉板１８ａが閉じるときに、遊技球が特定領域１８ｂを通過していないときに特別遊技が終了するが、特定領域１８ｂを通過していれば最大所定回数（例えば、１６回）まで特別遊技が継続され、遊技者に有利な状態に制御される。
【００２５】
図３、図４に示すように、前枠４の裏側には、遊技盤５を裏側から押さえる裏機構板３０が着脱自在に装着され、この裏機構板３０には開口部３０ａが形成され、その上側に賞球タンク３３と、これから延びるタンクレール３４とが設けられ、このタンクレール３４に接続された払出し装置３５が裏機構板３０の側部に設けられ、裏機構板３０の下側には払出し装置３５に接続された払出し球誘導路３６が設けられている。払出し装置３５から払出された遊技球は払出し球誘導路３６を経由して上皿排出口８ａから上皿８に払出される。
【００２６】
裏機構板３０の開口部３０ａには、遊技盤５の裏側に装着された裏カバー３７と、入賞手段１７〜１９に入賞した遊技球を排出する入賞球排出樋（図示略）とが夫々嵌合されている。この裏カバー３７に装着されたケース３８の内部に主制御基板３９が配設され、その前側に図柄制御基板４０が配設されている。主制御基板３９の下側で、裏カバー３７に装着されたケース４１ａの内部にランプ制御基板４２が設けられ、このケース４１ａに隣接するケース４１ｂの内部にサウンド制御基板４３が設けられている。
【００２７】
これらケース４１ａ，４１ｂの下側で裏機構板３０に装着されたケース４４の内部には、電源基板４５と払出し制御基板４６が夫々設けられている。この電源基板４５には、図３に示すように、電源スイッチ８０と消去指令スイッチ８８とが配置されている。但し、ケース４４のこれら両スイッチ８０，８８に対応する部位が切欠かれ、これら両スイッチ８０，８８の各々を指で同時操作可能になっている。
【００２８】
更に、発射手段１０の後側に装着されたケース４７の内部には、発射制御基板４８が設けられている。これら制御基板３９〜４０，４２〜４３，４５〜４６，４８は夫々独立の制御基板で構成されており、電源基板４５と発射制御基板４８とを除く制御基板３９，４０，４２，４３，４６には、ＣＰＵとＲＯＭやＲＡＭ等を有する１チップ集積回路からなるマイクロコンピュータ（以下、単にマイコンと言う）３９ａ，４０ａ，４２ａ，４３ａ，４６ａが夫々設けられている（図６参照）。
【００２９】
主制御基板３９とその他の制御基板４０，４２，４３，４６とは、複数本の信号線でコネクタを介して電気的に接続され、主制御基板３９から各制御基板４０，４２，４３，４６に、所定の遊技動作を実行させる種々の制御コマンドを一方向通信にて送信可能になっている。制御コマンドの一方向通信を採用することで、図柄停止に関する不正を確実に防止できるとともに、主制御手段５０の制御負荷を格段に軽減でき、送信制御を簡単化することができる。
【００３０】
次に、パチンコ機２の制御装置に予め格納した複数の制御プログラムを介して達成される種々の機能について、図５の機能ブロック図により説明する。但し、これら種々の機能は前述したマイクロコンピュータ等で達成される。主制御基板３９上に構成された主制御手段５０は、遊技盤５に設けられた種々の遊技部品や遊技球検出スイッチ等に対する信号の入出力に関わる、所謂遊技盤５の遊技制御を主として司るとともに、後述する図柄制御手段６０、払出し制御手段７０、ランプ制御手段７１、サウンド制御手段７２等に必要に応じて制御コマンドを送信出力する。ここで、払出し制御手段７０、図柄制御手段６０、サウンド制御手段７２、ランプ制御手段７１の各々が副制御手段に相当する。
【００３１】
主制御基板３９に設けられたマイコン３９ａのＲＯＭには、図７に示すように、遊技盤５の遊技動作をメイン処理として制御する遊技制御プログラム３９ｂ、停電発生時や閉店時に電力供給停止になったときに、大当たり状態であることを指示する情報等、最新の遊技状態に関連する所定の遊技情報を記憶させるバックアップ制御プログラム３９ｃ、停電からの復帰時に限って記憶しておいた遊技情報に基づいて遊技制御を再開可能に復帰させる遊技復帰制御プログラム３９ｄ、等が格納されている。
【００３２】
マイコン３９ａのＲＡＭ３９ｂには、種々の遊技情報を記憶させる情報メモリ等が設けられ、ＲＡＭ３９ｂは揮発性記憶媒体であるが、停電後においても遊技情報を記憶可能にバックアップされている。図柄制御基板４０上に構成された図柄制御手段６０は、主制御手段５０から送信されてくる図柄制御コマンドに基づいて、液晶ディスプレイ１６に種々の動画や背景画を表示させる表示制御を実行したり、各図柄表示部２２ａ〜２２ｃの図柄を変動制御し、指示された停止図柄で変動を停止制御する。
【００３３】
払出し制御基板４６上には払出し制御手段７０が構成され、この払出し制御手段７０は主制御手段５０から払出し制御コマンドを受信し、払出し装置３５による遊技球の払出し制御を司る。払出し制御基板４６に設けられたマイコン４６ａのＲＯＭには、図８に示すように、主に遊技球の払出しをメイン処理として制御する払出し制御プログラム４６ｂ、停電発生時や閉店時に電力供給停止になったときに、遊技球の払出しを指示する情報等、最新の払出し状態に関連する所定の払出し情報を記憶させるバックアップ制御プログラム４６ｃ、停電からの復帰時に限って記憶しておいた払出し情報に基づいて払出し制御を再開可能に復帰させる払出し復帰制御プログラム４６ｄ等が格納されている。ここで、これら復帰制御プログラム３９ｄ，４６ｄが夫々復帰手段に相当する。
【００３４】
また、マイコン４６ａのＲＡＭ４６ｂには、種々の払出し情報を記憶させる情報メモリ等が設けられ、ＲＡＭ４６ｂは揮発性記憶媒体であるが、停電後においても記憶可能にバックアップされている。ランプ制御基板４２上に構成されたランプ制御手段７１は、主制御手段５０からランプ制御コマンドを受信し、遊技盤５等に設けられた多数の表示ランプを含むランプ群７４の点灯制御を司る。サウンド制御基板４３上に構成されたサウンド制御手段７２は、主制御手段５０からサウンド制御コマンドを受信し、スピーカＳＰ（これがサウンド発生器に相当する）に対する各種の音響効果音の為のサウンド出力制御を司る。発射制御基板４８上に構成された発射制御手段７３は、発射モータ１３を駆動して遊技球の発射制御を司る。
【００３５】
主制御手段５０は、抽選手段５１と、判定手段５２と、特別遊技発生手段５３と、確率変動手段５４と、コマンド送信手段５５等を備えている。抽選手段５１は、抽選用カウンタを用いて微小な更新周期（例えば、約２msec周期）で数値を所定の範囲（例えば、０〜２９９）で更新し、図柄始動手段１７に遊技球が入賞したときの数値を抽出することにより、遊技者に有利な状態である当たりと、遊技者に不利な状態である外れとに関する抽選を行なう。判定手段５２は、図柄始動手段１７に遊技球が入賞したときに抽選手段５１から供給される抽選された数値に基づいて、「大当り」、「外れ（外れリーチを含む）」の何れであるかを判定する。
【００３６】
例えば、その抽選された数値が予め設定された特定数値「７１」のときに「大当たり」と判定し、それ以外の多数の数値のときに「外れ」であると判定する。特別遊技発生手段５３は、判定手段５２から大当たり等の特別判定結果を受ける、若しくは、図柄表示手段２２の変動後の停止図柄が大当たり図柄等の特定表示となった場合に、遊技制御に含まれる所定の特別遊技発生ルーチンにより開閉式入賞手段１８の開閉板１８ａを前述したように作動させて、遊技者に有利な利益状態を与える特別遊技を実行する。
【００３７】
確率変動手段５４は、判定手段５２から「大当たり」の特別判定結果を受けた場合に、その「大当たり」について「確率変動」と「非確率変動」の何れかを抽選により決定し、確率変動型大当たりのときには確率変動モードを設定し、次回或いは次々回の大当たり迄、或いは所定回数図柄が変動する迄、抽選手段５１により大当たりを抽選する特定数値の数を通常のときよりも多くし、大当たり確率を高くする。
【００３８】
コマンド送信手段５５は、判定手段５２から判定結果を受け、図柄変動に際しては図柄制御コマンド（当たり外れデータを含む２バイト構成）を図柄制御手段６０に送信し、遊技球の払出しに際しては払出し制御コマンド（払出し個数データを含む２バイト構成）を払出し制御手段７０に送信する。ここで、当たり外れデータは「確率変動型大当たり」、「非確率変動型大当たり」、「外れ」の何れかのデータからなり、変動時間データは図柄変動に要する時間（例えば、４０秒、６０秒等）を規定するデータである。また、払出し個数データは、５個、１０個等の遊技球の払出し個数を指令するデータである。
【００３９】
更に、コマンド送信手段５５は、ランプ群７４の点灯に際してはランプ制御コマンド（２バイト構成）をランプ制御手段７１に送信し、スピーカＳＰによる効果音出力に際してサウンド制御コマンド（２バイト構成）をサウンド制御手段７２に送信する。ここで、図５には図示を省略しているが、コマンド送信手段５５のコマンド出力部と、これら制御手段６０，７０〜７２のコマンド受信部とには、インバータ素子からなる逆流防止回路が夫々設けられており、コマンド送信手段５５から出力した制御コマンド等の制御信号の送信方向を一方向に規制して、何れの信号の主制御手段５０側への逆流を防止している。
【００４０】
ここで、インバータ素子は、主に複数のトランジスタを組み合わせたゲート素子であり、その入力側に入力された「Ｈ」レベル又は「Ｌ」レベルの信号を「Ｌ」レベル又は「Ｈ」レベルの信号として出力側に出力できるが、出力側信号の変化が入力側に影響することはない。図柄制御手段６０は、停止図柄決定手段６１を有し、コマンド送信手段５５から送信される図柄制御コマンドを受信し、受信した図柄制御コマンドを解析するとともに、解析により得られた制御コマンドに基づいて図柄表示手段２２の各図柄表示部２２ａ〜２２ｃにおける図柄変動を制御する。
【００４１】
この停止図柄決定手段６１について簡単に説明すると、変動パターンテーブルに、「確率変動型大当たり」、「非確率変動型大当たり」、「外れリーチ」、「外れノーマル」の各々について複数のパターンデータが記憶されており、図柄制御コマンドに含まれる「当たり外れデータ」に基づいて、夫々該当する大当たりパターン又は外れパターンのうちから何れかを抽選により決定する。
【００４２】
電源手段７９は電源基板４５上に構成され、複数の制御基板３９，４０，４２〜４３，４６の各々に電力（直流電圧）を供給するものであり、電源手段７９としての電源基板４５について、図６に基づいて説明する。
パチンコホールに設置された各島構造体毎に複数の変圧トランス８９が設けられ、各変圧トランス８９から低圧の交流電圧（例えば、ＡＣ２４Ｖ）が複数（例えば、５台）のパチンコ機２に夫々供給されている。
【００４３】
この電源基板４５には、トグルスイッチ等からなり主電源をオンオフする手動操作可能な電源スイッチ８０と、電源供給部８１と、電源監視部８２と、異常信号発生部８３及び異常信号出力部８４と、リセット信号発生部８５及びリセット信号出力部８６等が設けられている。電源供給部８１は、電源スイッチ８０を介して変圧トランス８９から供給されるＡＣ２４ＶからＤＣ３２Ｖを生成するとともに、サウンド出力やランプ点灯に用いるＤＣ１２Ｖ、制御手段５０，６０，７０〜７２等のマイクロコンピュータに供給するＤＣ５Ｖ等を生成し、これらの直流を制御基板３９〜４０，４２〜４３，４６等に供給する。
【００４４】
電源監視部８２は、供給されたＡＣ２４Ｖを直接読み込んで、外部から供給された供給電圧を常時監視する。異常信号発生部８３は、電源監視部８２にて外部電源の異常を検出したときに電源異常を示す「Ｌ」レベルの電源異常信号ＶＳを発生するので、異常信号出力部８４はその電源異常信号ＶＳをインバータ素子８４ａを介して出力する。ここで、主制御手段５０の信号受信部（これが異常信号受信部に相当する）にはインバータ素子３９ｆが設けられ、また払出し制御手段７０の信号受信部（これが異常信号受信部に相当する）にもインバータ素子４６ｆが設けられている。
【００４５】
そして、異常信号出力部８４から出力された電源異常信号ＶＳがインバータ素子３９ｆを介してマイコン３９ａの最優先割込みポートに受信されるとともに、その電源異常信号ＶＳがインバータ素子４６ｆを介してマイコン４６ａの最優先割込みポートに供給される。その結果、マイコン３９ａにおいては、停電発生時における最新の弾球遊技に関連する所定の遊技情報をＲＡＭ３９ｅに設けた記憶保持専用のメモリに記憶保持させるバックアップ制御が実行される。これと同時に、マイコン４６ａにおいても同様に、停電発生時における未払いの遊技球数等の遊技球払出しに関連する最新の払出し情報をＲＡＭ４６ｅに設けた記憶保持専用のメモリに記憶保持させるバックアップ制御が実行される。
【００４６】
リセット信号発生部８５は、異常信号出力部８４から「Ｌ」レベルの電源異常信号ＶＳを受けた時から、バックアップ処理に要する所定微小時間（例えば、約120msec ）だけ遅延させて「Ｌ」レベルに切換えたシステムリセット信号ＳＲを発生するので、リセット信号出力部８６はそのシステムリセット信号ＳＲをインバータ素子８６ａを介して出力する。ここで、各制御手段５０，６０，７０〜７２の信号受信部には、インバータ素子３９ｇ，４０ｇ，４６ｇ，４２ｇ，４３ｇが夫々設けられている。
【００４７】
そして、リセット信号出力部８６から出力されたシステムリセット信号ＳＲがインバータ素子３９ｇ，４０ｇ，４６ｇ，４２ｇ，４３ｇを介して各マイコン３９ａ，４０ａ，４６ａ，４２ａ，４３ａのリセット端子に夫々供給される。その結果、各マイコン３９ａ，４０ａ，４２ａ，４３ａ，４６ａのＣＰＵは初期化に伴って制御動作を同時に停止する。ここで、各マイコン３９ａ，４０ａ，４２ａ，４３ａ，４６ａに有するリセット端子やリセットルーチン等が作動停止手段に相当する。
【００４８】
電源基板４５にはバックアップ電源８７が設けられている。このバックアップ電源８７は、充電用コンデンサ等からなり、このコンデンサから出力されるＤＣ５Ｖをマイコン３９ａ，４６ａの各ＲＡＭ３９ｅ，４６ｅにバックアップ用として夫々供給する。このように、ＲＡＭ３９ｅ，４６ｅに５Ｖが常に供給されているため、主電源が断たれて電源供給部８１からのＤＣ５Ｖ供給が停止された場合でも、各ＲＡＭ３９ｅ，４６ｅのバックアップ記憶メモリ（バックアップ記憶部に相当する）に記憶している遊技情報や払出し情報やランプ情報は、バックアップ用５Ｖにより確実に記憶保持される。但し、バックアップ電源８７によるバックアップ動作は長時間継続可能である。
【００４９】
電源基板４５には、更に、消去指令スイッチ８８を有し消去信号ＥＳを発生する消去信号発生部８８Ａと、その消去信号ＥＳを出力する消去信号出力部８８Ｂとが設けられている。その消去指令スイッチ８８を押圧操作したとき、消去信号出力部８８Ｂから「Ｌ」レベルの消去信号ＥＳが出力される。ここで、主制御手段５０の消去信号受信部にはインバータ素子３９ｈが設けられ、また払出し制御手段７０の消去信号受信部にもインバータ素子４６ｈが設けられている。そして、消去信号出力部８８Ｂから出力された消去信号ＥＳがインバータ素子３９ｈ，４６ｈを介して各マイコン３９ａ，４６ａの入力ポートに夫々供給される。
【００５０】
その結果、各ＲＡＭ３９ｅ，４６ｅのバックアップ記憶メモリに記憶保持していた遊技情報や払出し情報の全てが一斉に消去されるとともに、予め設定された初期遊技状態に初期化することができる。但し、各マイコン３９ａ，４６ａにおいては、停電からの復帰ではなく、電源スイッチ８０のオン操作による給電再開時に限って、その消去信号ＥＳが有効化される。ここで、各インバータ素子８４ａ，８６ａ，３９ｆ〜３９ｈ，４６ｆ〜４６ｈ，４０ｇ，４２ｇ，４３ｇの各々が逆流防止回路に相当する。
【００５１】
次に、このように構成されたパチンコ機２の作動及び効果について説明する。営業開始に際して、パチンコ機２の前枠４を前方に開いた状態で、消去指令スイッチ８８を例えば人指し指で押圧操作しながら、電源スイッチ８０を例えば親指でオン側に切換えたとき、変圧トランス８９からの交流電圧（ＡＣ２４Ｖ）が電源スイッチ８０を介して電源基板４５に供給され、電源供給部８１から直流電源が制御基板３９〜４０，４２〜４３，４６に供給される。
【００５２】
このとき、リセット信号出力部８６から出力された「Ｈ」レベルのシステムリセット信号ＳＲが、インバータ素子８６ａと、各信号受信部のインバータ素子３９ｇ，４０ｇ，４２ｇ，４３ｇ，４６ｇとを介してマイコン３９ａ，４０ａ，４２ａ，４３ａ，４６ａのリセット端子に夫々供給される。その結果、主制御手段５０による遊技制御が開始されるとともに、各副制御手段６０，７０〜７２においても夫々制御動作を開始する。
【００５３】
そこで、遊技制御プログラム３９ｂに基づいて主制御手段５０により実行される遊技制御について、図９のフローチャートに基づいて説明する。但し、図中の符号Ｓｉ（ｉ＝１，２，３・・・）は各ステップである。
この遊技制御が実行されたときに、消去指令スイッチ８８がＯＮ状態のときには（Ｓ１：Yes ）、先ずＣＰＵの各メモリやレジスタを初期化する初期設定処理が実行される（Ｓ２）。次に、ＲＡＭ３９ｅのバックアップ記憶メモリにバックアップ電源８７により記憶保持されている遊技情報の全てが消去処理される（Ｓ３）。
【００５４】
次に、図柄表示手段２２に表示する初期図柄を設定したり、この遊技制御のメイン処理を繰り返し実行する制御周期を２msecに設定する等の種々の初期値設定処理が実行される（Ｓ４）。ここで、Ｓ２〜Ｓ４等が初期化手段に相当する。その結果、前日の閉店時に確率変動モードが設定状態のままで主電源が断たれて、ＲＡＭ３９ｅのバックアップ記憶メモリに確率変動モードの設定状態を指示する情報等が記憶保持されている場合でも、これら全ての遊技情報が確実に消去されて初期化されるため、給電が再開されてから実行されるゲームを、公正な遊技条件で開始することができる。
【００５５】
その後、制御周期（約２msec）に達するまで、次の図柄を更新により決定する図柄データ変更処理（Ｓ５）と、遊技に関係しないダミー的な数値を更新する数値更新処理（Ｓ６）とが繰り返して実行される。つまり、２msecが経過するまでの残余時間が、Ｓ５とＳ６とを繰り返すことで費やされ、遊技制御のメイン処理（Ｓ８〜Ｓ17）が２msec毎に確実に実行される。約２msecが経過して、図示外の２msec信号発生手段から２msec割込み用信号がマイコン３９ａのＣＰＵに内部割込みとして入力されたとき、例えば内部割込みによるリスタート命令（ＲＳＴ命令）が実行され、制御時間調節用のＳ５又はＳ６が強制的に中止されて、この遊技制御の途中の処理ステップであるＳ８からメイン処理が実行される。
【００５６】
但し、メイン処理が繰り返し実行されているゲーム中に消去指令スイッチ８８が誤操作されても、Ｓ３とＳ４の処理が実行されることはない。次に、遊技制御のメイン処理（Ｓ８〜Ｓ17）について説明すると、先ず図柄始動手段１７の開閉爪１７ａを駆動するソレノイドや開閉式入賞手段１８の開閉板１８ａを駆動するソレノイドに駆動信号を出力する駆動信号出力処理が実行される（Ｓ８）。次に、入賞検出センサを含む各種のスイッチからのスイッチ信号を読み込むスイッチ信号入力処理が実行される（Ｓ９）。次に、抽選用数値を１つインクリメントする抽選用数値更新処理が実行される（Ｓ10）。
【００５７】
次に、払出し制御手段７０に払出し制御コマンドを出力する出力処理が実行される（Ｓ11）。次に、サウンド制御手段７２にサウンド制御コマンドを出力する出力処理が実行される（Ｓ12）。更に、ランプ制御手段７１にランプ制御コマンドを出力する出力処理が実行される（Ｓ13）。次に、第２図柄表示手段２３の普通図柄表示部に普通図柄を変動表示させる普通図柄に関する処理が実行される（Ｓ14）。次に、図柄表示手段２２に特別図柄を変動表示させる為の図柄制御コマンドを出力する等の特別図柄に関する処理が実行される（Ｓ15）。
【００５８】
次に、図柄始動手段１７の開閉爪１７ａを駆動する場合には、その為の作動を指令するコマンドを出力する作動コマンド出力処理が実行され（Ｓ16）、開閉式入賞手段１８の開閉板１８ａを駆動する場合には、その為の作動を指令するコマンドを出力する作動コマンド出力処理が実行される（Ｓ17）。このとき、この遊技制御を開始してから約２msecが経過していないときには、前述したようにＳ５とＳ６を繰り返して実行することで制御時間が調節される。これらＳ５とＳ６を実行中に２msecが経過する毎に、２msec割込み用信号でＣＰＵに内部割込みされて、遊技制御はその都度リスタートされ、Ｓ８から繰り返して実行される。
【００５９】
ところで、電源スイッチ８０がオフされたとき、或いはゲーム途中で停電が発生したとき、異常信号出力部８４から出力された「Ｌ」レベルの電圧異常信号ＶＳが、インバータ素子８４ａと、主制御手段５０と払出し制御手段７０のインバータ素子３９ｆ，４６ｆとを介してマイコン３９ａ，４６ａの最優先割込みポートに夫々供給され、主制御手段５０と払出し制御手段７０とにおいてバックアップ制御が夫々実行される。
【００６０】
主制御手段５０のバックアップ制御について、図１０に基づいて説明すると、開閉式入賞手段１８の開閉板１８ａが開放状態のときには直ちに閉鎖されるが、この開閉式入賞手段１８内に残存している残存球数を検出してバックアップ記憶メモリに記憶保持され（Ｓ20）、入賞による賞球の払出し中のときには払出しモータは直ちに停止するが、検出スイッチを通過していない残存球数を検出してバックアップ記憶メモリに記憶保持され（Ｓ21）、更に払出し制御手段７０への払出し制御コマンド送信中のときには、その払出し制御コマンドの送信制御を完了する（Ｓ22）。
【００６１】
次に、払出し制御手段７０のバックアップ制御について、図１１に基づいて説明すると、入賞による賞球の払出しのときには払出しモータは直ちに停止するが、検出スイッチを通過していない残存球数を検出してバックアップ記憶メモリに記憶され（Ｓ30）、カード式球貸し機１からの球貸し指令による遊技球の払出しのときには払出しモータは直ちに停止するが、検出スイッチを通過していない残存球数を検出してバックアップ記憶メモリに記憶され（Ｓ31）、更に主制御手段５０から払出し制御コマンドを受信中のときには、その払出し制御コマンドの受信制御が完了される（Ｓ32）。
【００６２】
このとき、前述したように、リセット信号出力部８６は、異常信号出力部８４から「Ｌ」レベルの電源異常信号ＶＳを受けてから微小所定時間だけ遅れてインバータ素子８６ａを介して「Ｌ」レベルに切換えたシステムリセット信号ＳＲを出力する。インバータ素子３９ｇ，４０ｇ，４２ｇ，４３ｇ，４６ｇ介してシステムリセット信号ＳＲを受信したマイコン３９ａ，４０ａ，４２ａ，４３ａ，４６ａは、ＣＰＵの初期化に伴って夫々の制御動作を同時に停止する。
【００６３】
ところで、図９の遊技制御において、電源スイッチ８０や消去指令スイッチ８８の操作なしにパチンコ機２に電力供給されたとき、つまり停電からの復帰のときには（Ｓ１：No）、バックアップ復帰処理が実行される（Ｓ７）。主制御手段５０によるバックアップ復帰処理においては、遊技復帰制御プログラム３９ｄにより、バックアップ記憶メモリに記憶保持されていた遊技情報に基づいて、図柄表示手段２２に停電復帰画面が表示され、停電直前の確率変動状態が表示され、普通図柄及び特別図柄による保留球数が表示される。
【００６４】
このとき、払出し制御手段７０においては払出し復帰制御プログラム４６ｄによりバックアップ復帰処理が実行され、未払いの遊技球が払出される。その後、Ｓ８以降のメイン処理が繰り返して実行される。これにより、停電が発生した場合でも、停電からの復帰時に停電により中断した遊技制御の途中から支障なく再開することができ、遊技者の不利益を確実に防止できる。
【００６５】
このように、信号ＶＳ，ＳＲが出力される出力部８４，８６にインバータ素子８４ａ，８６ａを夫々設け、主制御手段５０及び副制御手段６０，７０〜７２の信号受信部にインバータ素子３９ｆ〜３９ｈ，４６ｆ〜４６ｈ，４０ｇ，４２ｇ，４３ｇを夫々設けたので、電源手段７９から主制御手段５０や払出し制御手段７０等の副制御手段６０，７０〜７２の信号受信部への信号出力を一方向に規制して、何れの信号の逆流を確実に防止することができ、様々な不正行為に対処することができる。
【００６６】
前記実施形態の変更形態について説明する。
１〕各インバータ素子８４ａ，８６ａ，３９ｆ〜３９ｈ，４６ｆ〜４６ｈ，４０ｇ，４２ｇ，４３ｇに代えて、バッファゲート等の種々のゲート素子を用いて逆流防止回路を構成してもよい。
２〕主制御手段５０の信号受信部と払出し制御手段７０の信号受信部の少なくとも一方にインバータ素子を設けるようにしてもよい。
【００６７】
３〕払出し制御手段７０にカード式球貸し機１が接続されていないときに、遊技球の発射動作を禁止させる発射禁止信号を出力する払出し制御手段７０の信号出力部と、その発射禁止信号を受信する発射制御手段７３の信号受信部とにインバータ素子を夫々設け、発射禁止信号の信号出力を一方向に規制するようにしてもよい。
４〕主制御手段５０に遅延回路を設け、電源が断たれるときには、主制御手段５０及びその他の副制御手段６０，７０〜７２の制御動作をシステムリセット信号ＳＲにより同時に停止させるが、給電再開時には副制御手段６０，７０〜７２を先に立ち上げた後、遅延回路により微小所定時間だけ遅延させてから主制御手段５０を立ち上げるようにしてもよい。
【００６８】
５〕図柄制御手段６０やランプ制御手段７１やサウンド制御手段７２のＲＡＭをバックアップ電源８７のバックアップ用５Ｖによりバックアップするようにしてもよい。
６〕バックアップ電源８７は、充電可能な二次電池であってもよく、電源基板４５以外の主制御基板３９や払出し制御基板４６、更にはランプ制御基板４２等の制御基板に個別に設けるようにしてもよい。
【００６９】
７〕マイコン３９ａ，４６ａのＲＡＭ３９ｅ，４６ｅを、フラッシュメモリ等の電気的に消去及び書込み可能な種々の不揮発性メモリで構成し、バックアップ電源を省略してもよい。
８〕本発明は、以上説明した実施形態や変更形態に限定されるものではなく、本発明の趣旨を逸脱しない範囲で種々変更を付加し、更に、パチンコ機に限らず、アレンジボール機、雀球機等の種々の弾球遊技機に本発明を適用することが可能である。
【００７０】
【発明の効果】
請求項１の発明によれば、主制御手段と、払出し制御手段と、図柄制御手段と、ランプ制御手段と、サウンド制御手段と、電源手段とを備え、電源手段は電源監視部と異常信号発生部と異常信号出力部とを備え、主制御手段と払出し制御手段の少なくとも一方に異常信号受信部を設け、電源手段の異常信号出力部と、主制御手段の異常信号受信部と払出し制御手段の異常信号受信部との少なくとも一方に逆流防止回路を夫々設けたので、給電の異常が検出されたときに異常信号出力部から出力される電源異常信号は、異常信号出力部に設けた逆流防止回路と、主制御手段の異常信号受信部と払出し制御手段の異常信号受信部の少なくとも一方に設けた逆流防止回路を経て受信されるため、電源手段から主制御手段や払出し制御手段の異常信号受信部への信号出力を一方向に規制して、信号の逆流を確実に防止することができ、様々な不正行為に対処することができる。
また、電源手段は、電源監視部により電源異常を検出したときにリセット信号を発生するリセット信号発生部と、そのリセット信号を出力するリセット信号出力部とを備え、そのリセット信号出力部に逆流防止回路を設け、主制御手段と払出し制御手段と図柄制御手段とランプ制御手段とサウンド制御手段の各々に、リセット信号を受信するリセット信号受信部と、リセット信号の受信を契機として作動を停止する作動停止手段を設け、各リセット信号受信部に逆流防止回路を設けたので、給電の異常検出によりリセット信号出力部から出力されるリセット信号は、リセット信号出力部に設けた逆流防止回路と、主制御手段と払出し制御手段と図柄制御手段とランプ制御手段とサウンド制御手段のリセット信号受信部に設けた逆流防止回路を経て夫々受信され、主制御手段と払出し制御手段と図柄制御手段とランプ制御手段とサウンド制御手段においては、作動停止手段により夫々の制御動作を停止することができる。
【００７１】
また、前記主制御手段と払出し制御手段には、電源異常信号の受信を契機として遊技状態に関連する所定の情報を記憶するとともに、その情報を電力供給停止後も記憶保持する為のバックアップ記憶部を備えたので、例えば停電が発生するなどして、電源異常信号を受信した主制御手段と払出し制御手段においては、遊技状態に関連する所定の情報がバックアップ記憶部に記憶されるとともに、このバックアップ記憶部の情報は電力供給停止後も記憶保持される。
【００７３】
さらに、前記電源手段は、給電再開時にバックアップ記憶部の記憶情報を消去可能な消去信号を発生する消去信号発生部と、その消去信号を一斉に出力する消去信号出力部とを備え、主制御手段及び払出し制御手段は、消去信号を受信する消去信号受信部と、給電再開時に消去信号を受信したときにはバックアップ記憶部の記憶情報を一斉に消去して予め設定された初期遊技状態に初期化する初期化手段と、給電再開時に消去信号を受信しなかったときにはバックアップ記憶部の記憶情報に基づいて遊技状態を復帰させる復帰手段とを備えたので、給電再開時に消去信号を受信するか否かで、バックアップ記憶部に記憶した情報を消去して初期化するのか、又はバックアップ記憶部の記憶情報に基づいて遊技状態を復帰制御するのかを択一的に行うことができる。
【００７４】
請求項２の発明によれば、前記逆流防止回路は、インバータ素子からなるので、逆流防止回路を安価に且つ小型化することができる。その他請求項１と同様の効果を奏する。
【図面の簡単な説明】
【図１】本発明の実施形態に係るパチンコ機（弾球遊技機）の斜視図である。
【図２】パチンコ機の遊技盤の正面図である。
【図３】パチンコ機の背面図である。
【図４】パチンコ機の側面図である。
【図５】パチンコ機の制御系の機能ブロック図である。
【図６】電力供給回路図及び種々の制御信号回路図である。
【図７】主制御手段のＲＯＭに記憶しているプログラムを示す図表である。
【図８】払出し制御手段のＲＯＭに記憶しているプログラムを示す図表である。
【図９】遊技制御プログラムの概略フローチャートである。
【図１０】主制御手段のバックアップ制御のフローチャートである。
【図１１】払出し制御手段のバックアップ制御のフローチャートである。
【符号の説明】
２                パチンコ機（弾球遊技機）
５                遊技盤
３５              払出し装置
３９              主制御基板
３９ｄ            遊技復帰制御プログラム
３９ｆ〜３９ｈ    インバータ素子
４２ｅ            ＲＡＭ
４０              図柄制御基板
４０ｇ            インバータ素子
４２              ランプ制御基板
４２ｇ            インバータ素子
４３              サウンド制御基板
４３ｇ            インバータ素子
４５              電源基板
４６              払出し制御基板
４６ｄ            払出し復帰制御プログラム
４６ｅ            ＲＡＭ
４６ｆ〜４６ｈ    インバータ素子
５０              主制御手段
６０              図柄制御手段
７０              払出し制御手段
７１              ランプ制御手段
７２              サウンド制御手段
８２              電源監視部
８３              異常信号発生部
８４              異常信号出力部
８４ａ            インバータ素子
８５              リセット信号発生部
８６              リセット信号出力部
８６ａ            インバータ素子
８８              消去指令スイッチ
８８Ａ            消去信号発生部
８８Ｂ            消去信号出力部
ＥＳ              消去信号
ＳＰ              スピーカ
ＳＲ              システムリセット信号
ＶＳ              電源異常信号
【図１】
0003695690.tif 000002
【図２】
0003695690.tif 000003
【図３】
0003695690.tif 000004
【図４】
0003695690.tif 000005
【図５】
0003695690.tif 000006
【図６】
0003695690.tif 000007
【図７】
0003695690.tif 000008
【図８】
0003695690.tif 000009
【図９】
0003695690.tif 000010
【図１０】
0003695690.tif 000011
【図１１】
0003695690.tif 000012